(57)【要約】  新規な靴構造が、特異な審美的に心地よい外観を靴にもたらすと同時に、靴構造も強化する。靴構造において、靴は、靴底から上向きに延び且つ紐のような調節可能な締結具によって装着者の足の周りに固定される第一甲と、靴底から上向きに延び且つ靴の後方で靴の両側上で第一甲と重なり合う第二甲とを備える。
2010504838.tif 000002
【特許請求の範囲】
【請求項１】
趾端部と、反対側の踝端部とを有し、前記趾端部と前記踝端部との間に延在する対向する右側と、左側とを有する底を含み、
該靴に取り付けられる可撓性材料の第一甲を含み、該第一甲は、前記底から前記第一甲の頂部縁部まで延在し、該頂部縁部は、前記底右側、前底踵端部、及び、前記底左側に沿って延在し、前記第一甲頂部縁部は、前足開口と、前記第一甲内部の前記靴の内部への踝開口とを定め、
前記底に取り付けられる可撓性材料の第二甲を含み、該第二甲は、前記底から前記第二甲の頂部縁部まで上向きに延在し、該頂部縁部は、前記第一甲の前記頂部縁部と別個であり且つ離間し、前記底右側、前記底踵端部、及び、前記底左側に沿って延在し、前記第二甲頂部縁部は、前記前足開口及び前記踝開口の周りに延在する、
靴構造。
【請求項２】
前記前足開口を横断して延在し、且つ、前記底右側に沿う前記第一甲のみを前記底左側に沿って延在する前記第一甲のみと接続する、少なくとも１つの調節可能な締結具をさらに含む、請求項１に記載の靴構造。
【請求項３】
前記第二甲は、前記少なくとも１つの調節可能な締結具と別個であり、前記少なくとも１つの調節可能な締結具と接続されない、請求項２に記載の靴構造。
【請求項４】
前記少なくとも１つの調節可能な締結具は、前記前足開口を横断して延在し、前記底右側に沿って延在する前記第一甲と、前記底左側に沿って延在する前記第一甲とを相互接続する、請求項２に記載の靴構造。
【請求項５】
前記前足開口の一方の側の上の前記第一甲の上の第一の複数の紐孔と、該第一の複数の紐孔から前記前足開口の反対の側の上の前記第一甲の上の第二の複数の紐孔と、
前記前足開口の一方の側の上の前記第二甲の上の第三の複数の紐孔と、該第三の複数の紐孔から前記前足開口の反対の側の上の前記第二甲の上の第四の複数の紐孔とをさらに含む、
請求項４に記載の靴構造。
【請求項６】
前記紐は、前記第一及び第二の複数の孔の紐孔を通じて延在し、前記第三及び第四の複数の孔の孔を通じて延在しない、請求項５に記載の靴構造。
【請求項７】
前記第二甲は、前記第一甲の大部分と重なり合う、請求項１に記載の靴構造。
【請求項８】
前記第二甲頂部縁部は、前記第一甲に取り付けられない、請求項１に記載の靴構造。
【請求項９】
前記第一甲は、前記第二甲を越えて前記靴底から上向きに延びる、請求項１に記載の靴構造。
【請求項１０】
前記第一甲及び前記第二甲は、同じ可撓性材料で構成される、請求項１に記載の靴構造。
【請求項１１】
前記第一甲の前記可撓性材料は、前記第二甲の前記可撓性材料と異なる視覚的外観を有する、請求項１に記載の靴構造。
【請求項１２】
趾端部と、反対側の踝端部とを有し、前記趾端部と前記踝端部との間に延在する対向する右側と、左側とを有する底を含み、
前記底右側、前記底踵端部、及び、前記底左側に沿って前記底から上向きに延びる可撓性材料の第一甲を含み、該第一甲は、前記底右側及び前記底左側から上向きに延びる前記第一甲の部分の間の前足開口を有し、前記第一甲は、前記底右側、前記底踵端部、及び、前記底左側から上向きに延びる前記第一甲の部分の間の踝開口を有し、
前記底右側、前記底踵端部、及び、前記底左側から上向きに延びる可撓性材料の第二甲を含み、該第二甲は、前記第一甲と重なり合い且つ取り囲み、
前記前足開口の一方の側の上の前記第一甲の上のみの第一の複数の孔と、該第一の複数の孔から前記前足開口の反対の側の上の前記第一甲の上だけの第二の複数の孔とを含み、
前記前足開口の一方の側の上の前記第二甲の上だけの第三の複数の孔と、該第三の複数の孔から前記前足開口の反対の側の上の前記第二甲の上だけの第四の複数の孔とを含む、
靴構造。
【請求項１３】
前記前足開口を横断して延在し、前記第一及び第二の複数の孔だけの孔を相互接続する、少なくとも１つの調節可能な締結具をさらに含む、請求項１２に記載の靴構造。
【請求項１４】
前記前足開口を横断して並びに前記第一及び第二の複数の孔だけの孔を通じて延在する、少なくとも１つの紐をさらに含む、請求項１２に記載の靴構造。
【請求項１５】
前記第二甲は、前記第一甲の大部分と重なり合う、請求項１２に記載の靴構造。
【請求項１６】
前記第二甲頂部縁部は、前記第一甲に取り付けられない、請求項１２に記載の靴構造。
【請求項１７】
前記第一甲は、前記第二甲を越えて前記靴底から上向きに延びる、請求項１２に記載の靴構造。
【請求項１８】
前記第一甲の前記可撓性材料は、前記第二甲の前記可撓性材料と異なる視覚的外観を有する、請求項１２に記載の靴構造。
【請求項１９】
靴底を含み、
該靴底から上向きに延びる第一甲を含み、該第一甲は、靴着用者の足のそれぞれの右側及び左側を覆って被覆するような寸法とされる第一右側部分及び第一左側部分と、前記靴着用者の足の踵を覆って被覆するような寸法とされる第一後方部分とを有し、前記第一右側部分及び前記第一左側部分は、前記第一右側部分と前記第一左側部分との縁部の間に前記第一甲の第一前足開口を定める縁部を有し、前記第一後方部分は、前記第一右側部分と前記第一左側部分との縁部で、前記第一右側部分縁部、前記第一後方部分縁部、及び、前記第一左側部分縁部によって取り囲まれる前記第一甲の踝開口を定め、
前記靴底から上向きに延び且つ前記第一甲と重なり合う第二甲を含み、該第二甲は、重なり合い且つ前記第一甲のそれぞれの第一右側部分及び第二右側部分と別個である第二右側部分と第二左側部分とを有し、前記第二甲は、重なり合い且つ前記第一甲の前記第一後方部分と別個である第二後方部分を含む、
靴構造。
【請求項２０】
前記第二甲は、前記第一甲の大部分と重なり合う、請求項１９に記載の靴底。
【請求項２１】
前記第一甲は、前記第二甲を越えて前記靴底から上向きに延びる、請求項１９に記載の靴底。
【請求項２２】
前記前足開口を横断して延在し、且つ、前記第一甲の前記第一右側部分及び前記左側部分のみを相互接続する、少なくとも１つの調節可能な締結具をさらに含む、請求項１９に記載の靴底。
【請求項２３】
前記前足開口の一方の側の上の前記第一甲の上の第一の複数の紐孔と、該第一の複数の紐孔から前記前足開口の反対の側の上の前記第一甲の上の第二の複数の紐孔と、
前記前足開口の一方の側の上の前記第二甲の上の第三の複数の紐孔と、該第三の複数の紐孔から前記前足開口の反対の側の上の前記第二甲の上の第四の複数の紐孔とをさらに含む、
請求項１９に記載の靴底。
【請求項２４】
前記紐は、前記第一及び第二の複数の孔の紐孔を通じて延在し、前記第三及び第四の複数の孔の孔を通じて延在しない、請求項２３に記載の靴底。
【請求項２５】
前記第一甲の前記可撓性材料は、前記第二甲の前記可撓性材料と異なる視覚的外観を有する、請求項１９に記載の靴底。
【発明の詳細な説明】
【技術分野】
【０００１】
本発明は、特異な審美的に心地よい外観をもたらすと同時に靴構造も強化する、新規な靴構造に関する。具体的には、本発明は、靴が、靴底から上向きに延び且つ紐のような調節可能な締結具によって着用者の足の周りに固定される第一甲と、靴底から上向きに延び且つ靴の両側で並びに靴の後方で第一甲と重なり合う第二甲とを備える、靴構造に関する。
【背景技術】
【０００２】
オックスフォード編上げバスケットボール靴（バスケットボールシューズ）は、多年に亘って運動競技用に極めて大衆的に普及した靴である。より近年には、運動競技における靴の使用に加えて、靴は、審美的に心地よい外観を有する快適なカジュアル靴（カジュアルシューズ）としても極めて大衆的に普及している。この種類の靴は、運動競技レジャー靴（アスレジャーシューズ）として知られている。これは、可撓性があり通気性のある織物、例えば、帆布（キャンバス）で構成される甲を有する、オックスフォード編上げバスケットボール靴に特に該当する。
【発明の概要】
【発明が解決しようとする課題】
【０００３】
オックスフォードバスケットボール靴又は運動競技レジャー靴一般の人気の増大に伴い、ファッションの最新動向に遅れずについていくことによって靴の市場性を維持するために、新しい外観が探求されている。しかしながら、オックスフォード靴の快適な構造を維持するために、ファッション動向に遅れずについていくための靴に対する変化は、靴の製造において利用される織物の色又は模様における変化に限定されている。しかしながら、靴を構築するのに利用される材料の色又は模様は限定的であり、靴の快適な構造を損ねずに靴の新規で審美的に心地よい外観を提供する必要を生み出している。
【課題を解決するための手段】
【０００４】
本発明は、靴の快適な構造を損なわずに、オックスフォード編上げバスケットボール靴の新規で審美的に心地よい外観を提供すると同時に、靴の構造を実際的に強化するという問題を克服する。本発明は、元々の靴構造を実質的に変更せずに靴構造に新規な変更をもたらす。本発明の運動競技レジャー靴は、大衆的に普及したオックスフォード編上げバスケットボール靴と基本的に同じ構造を有するが、靴の伝統的な甲と重なり合う追加的な外側甲層を備え、靴のための新規で審美的に心地よい外観をもたらす。
【０００５】
本発明の靴構造は、典型的な運動競技レジャー靴、例えば、バスケットボールオックスフォードの構造に利用される靴底と実質的に同じ靴底を有する。本発明の靴構造は、靴底から甲の頂部縁部まで上向きに延びる甲も含み、頂部縁部は、靴の前足開口、及び、靴着用者の足のための靴内部へのアクセスを提供する靴の踝開口を定める。舌部も前足開口を通じて上向きに延びる。調節可能な締結具、好ましくは、紐が、前足開口を横断して延在し、紐を締め且つ結ぶことによって靴着用者の足を覆って甲の両側を共に調節可能に固定するが、これらは全て従来的である。
【０００６】
本発明の靴の新規な構造は、靴底から上向きに延びる第二の外側甲によってもたらされる。第二甲は、内側甲の対向する左側部分及び右側部分を覆って上向きに並びに内側甲の後方部分を覆って上向きに延びる。外側の第二甲は、基本的には、第一の内側甲と同じ構造を有するが、内側甲と同程度には底から上向きに延在しない。これは外側甲の頂部縁部より上の第一の内側甲の一部を露出する。加えて、第二の外側甲は、靴底での２つの重なり合う甲の接続を除き、第一の内側甲に取り付けられないままとされる。第二の外側甲は、第一の内側甲と同様の方法で紐アイレットを備えるが、紐は第二甲のアイレットを通じて延在せず、第一甲のアイレットを通じて延在するだけである。
【０００７】
よって、二重に重なり合う甲を備える靴構造は、靴の快適な構造を損なわずに、新規で審美的に心地よい外観を靴にもたらす。さらに、第一の内側甲と重なり合う第二の外側甲を設けることによって、靴構造は、甲の二重に重なり合う層によって強化される。
【０００８】
本発明のさらなる機能は、本発明の好適実施態様の以下の詳細な記載及び図面中に示されている。
【図面の簡単な説明】
【０００９】
【図１】本発明の左靴の前部を示す斜視図であり、本発明の右靴は左靴構造と鏡像複製である構造を有する。
【図２】図１に示される靴を示す上面図である。
【図３】図１に示される靴を示す左側面図である。
【図４】図１に示される靴を示す右側面図である。
【図５】図１に示される靴を示す背面図である。
【図６】図１に示される靴を示す正面図である。
【発明を実施するための形態】
【００１０】
本発明の運動競技レジャー靴１２の二重甲構造は、オックスフォード編上げバスケットボール靴の基本構造を有する。例外は、靴１２の新規な構造が、靴の第一の内側甲とは別個の第二の外側甲を備えるということである。これは特異な審美的な外観を備える靴をもたらし、靴甲に可撓性材料の二重層を提供することによって靴を強化する。図面中に示される靴１２の好適実施態様において、靴はハイトップ型オックスフォードバスケットボール靴である。しかしながら、本発明の新規な着想は他の種類の靴にも利用され得ることが理解されるべきである。本発明の靴１２の構造の殆どは従来的なオックスフォード編上げバスケットボール靴の構造と同じであるので、構造の従来的な機能はここでは一般的にのみ記載される。
【００１１】
靴１２は、運動競技靴の底の構造に典型的に利用される弾性材料の構造である靴底１４を有する。靴底１４は、従来的であるように、表底と、中底と、挿入物とで構成され得る。靴底１４は、靴の牽引表面として機能する底部表面１６と、靴の内部２２内の反対の頂部表面１８とを有する。靴１２のサイズは靴底の後方の踵端部２４から前方の趾端部２６まで延びる長さを有し、靴１２は靴底の右側２８と左側３２との間の幅を有する。
【００１２】
靴甲３４は、従来的であるように、靴底１４に固定され、靴底頂部表面１８から上向きに延びる。靴甲３４は、可撓性材料、例えば、革又はキャンバスのような織物で構成される。甲２４は、靴底踵端部２４で靴底得頂部表面１８の周りに延在する。靴甲踵部分３６は、靴底１８から、靴内部２２への踝開口４２を定める甲の鍔縁部３８まで上向きに延びる。
【００１３】
踵部分３６から、靴甲３４は、靴底右側２８及び靴底左側３２に沿ってそれぞれ前方に延びる、右側部分４４と左側部分４６とを有する。靴甲右側部分４４は、靴底右側２８から靴甲右側縁部４８まで上向きに延びる。靴甲左側部分４６は、靴底左側３２から靴甲左側縁部５２まで延びる。図面中に見られるように、靴甲右側縁部４８及び靴甲左側縁部５２は、靴甲鍔縁部３８の両側から靴底の前方趾端部２６に向かって前方に延びる。靴甲右側縁部４８及び靴甲左側縁部５２の長さは、靴内部２２に開口する靴甲３４内の前足開口５４を定める。
【００１４】
靴甲３４は、靴底趾端部２６で靴底頂部表面１８の周りに並びに横断して延在する先芯又は先革５６でも構成される。先芯５６は、靴甲右側部分４４と靴甲左側部分４６との間に接続され、靴底趾端部２６に隣接して靴内部２２の一部を取り囲む。靴甲右側端部４８及び靴甲左側縁部５２は、先芯５６から後方に延びる。
【００１５】
第一の複数の孔６２が、靴甲右側部分４４上に設けられ、第二の複数の孔６４が、靴甲左側部分４６上に設けられる。孔６２，６４は、好ましくは、紐開口であり、靴の前足開口を覆う靴甲を閉じる紐の一部によって典型的に占められる靴甲上の開口を意味する。孔６２，６４は、靴に紐開口を提供するあらゆる既知の手段によって、例えば、Ｄリング又は高速紐縛りフック(speed  lacing  hook)によって提供され得る。しかしながら、本発明の好適実施態様では、孔６２，６４は、靴甲右側部分４４上の第一の複数のアイレット又はグロメット６６、及び、靴甲左側部分４６上の第二の複数のアイレット又はグロメット６８によって提供される。アイレット６６，６８は、所望の従来的な編上げ靴外観をもたらす。孔６２，６４は、従来的であるように、靴甲の甲右側縁部４８に沿って並びに甲左側縁部５２に沿って一列に配置される。図面中に見られるように、孔６２，６４は、靴甲鍔縁部３８と靴甲先芯５２との間で、靴甲右側縁部４８及び靴甲左側縁部５２の実質的全長に延在する。
【００１６】
靴甲３４は、先芯５６の後方に位置付けられる爪革７２又は喉部と、爪革７２から前足開口５４を通じて後方に延びる舌部７４とを含む。舌部７４は、靴甲右側部分４４及び靴甲左側縁部５２の長さに沿って舌部の遠位端部に延びる。舌部７４は、舌部の右側縁部（図示せず）と左側縁部（図示せず）との間の幅を有する。舌部の長さ及び幅は、舌部側部縁部を靴甲右側部分４４及び靴甲左側部分４６の下にそれぞれ位置付け、舌部を靴の前足開口５４を覆って延ばす。
【００１７】
この時点までの靴１２の構造は、殆どの部分に関して、従来的である。本発明の特異な靴構造は、靴底１４に同様に固定され且つ第一の内側靴甲３４の外側を覆う靴底頂部表面１８から上向きに延びる第二の外側靴甲８４によってもたらされる。第二甲８４は、可撓性材料、例えば、革又は織物で構成される。靴１２の外観を改良するために、第二甲８４は、第一甲３４と異なる視覚的外観、例えば、異なる色で構成され得る。第二甲８４は、靴底踵端部２４で靴底頂部表面１８の周りに延在する踵部分８６を備えても構成され得る。第二甲踵部分８６は、靴底１４から第一甲３４の鍔縁部３８を取り囲む第二甲の鍔縁部８８まで上向きに延びるが、第一甲３４の鍔縁部３８と別個であり且つ離間している。図面中に見られるように、第二甲８４は、第一甲３４と同程度には靴底１４から上向きに延びず、その結果、第一甲３４は、第二甲８４を越えて上向きに延びる。よって、第二甲鍔縁部８８は、第一甲踵部分３６を含む第二踝開口９２を定める。
【００１８】
第二甲踵部分８６から、第二甲は、それぞれの靴底右側２８及び靴底左側３２に沿って前方に延びる右側部分９４及び左側部分９６を有する。第二甲右側部分９４は、第一甲右側部分４４を覆って重なり合って延在し、靴底右側２８から第二甲の甲右側縁部９８まで上向きに延びる。図面中に見られるように、第二甲は、第一甲と同程度には靴底から上向きに延びず、従って、第二甲右側縁部９８は、第一甲右側縁部４８と別個であり且つ下に離間する。第二甲左側９６は、靴底左側３２から第二甲左側縁部１０２まで上向きに延びる。第二甲左側縁部１０２も、第一甲左側縁部５２と別個であり且つ離間する。
【００１９】
第二甲の右側縁部９８及び左側縁部１０２は、基本的に同一の構造を有し、第一甲の右側縁部４８及び左側縁部５２に沿って延在するが、第一甲縁部の下に離間する。よって、靴１２の第一甲３４は、第二甲８４の頂部縁部を越えて上向きに突出し、第一甲３４の部分が第二甲８４より上に見られることを可能にする。本発明の好適実施態様では、第二甲８４は、第一甲３４の外部の大部分を覆って延在するが、第一甲３４と別個であり、より多くの第一甲３４を露出するために、第一甲３４から下向きに引き離され或いは折り畳まれ得る。第一甲３４及び第二甲８４は、基本的には、２つの甲が靴底１４に付着される場所でだけ互いに対して付着される。
【００２０】
第三の複数の孔１０４及び第四の複数の孔１０６が、それぞれの第二甲右側部分９４及び第二甲左側部分９６の上に設けられる。孔１０４，１０６は、基本的には、第一甲３４の構造の記載中に前述されたのと同一の種類の孔６２，６４である。即ち、第三の複数の孔１０４は、第二甲右側部分９４上の第三の複数のアイレット１０８によって提供され、第四の複数の孔１０６は、第二甲左側部分９６上の第四の複数のアイレット１１２によって提供される。アイレット１０８，１１２は、前述された第一甲３４上と同様に、第二甲右側縁部９８及び第二甲左側縁部１０２に隣接して一列に配置される。しかしながら、第三の複数のアイレット１０８を第四の複数のアイレット１１２と接続する紐又は他の調節可能な締結具はない。
【００２１】
本発明の好適実施態様において、第一甲右側部分４４と第一甲左側部分４６との間に延在する調節可能な締結具は、靴紐１１４である。しかしながら、従来技術において既知であり且つ靴と共に使用される他の均等な締結具、例えば、弾性バンド又はマジックテープ（登録商標）（ベルクロ）型ストラップも使用され得る。本発明の靴構造において、紐１１４は、第一甲右側部分４４上の第一の複数のアイレット６６及び第一甲左側部分４６上の第二の複数のアイレット６８を通じてのみ延在する。図面は、全てのアイレット６６，６８を通じて延在し且つ前足開口５４を横断して延在する紐１１４を示している。代替的な実施態様では、それぞれの第一甲３４のそれぞれの右側部分４４及び左側部分４６上の、全てよりも少ないアイレット６６，６８が、紐１１４の一部を受容し得る。
【００２２】
第二甲右側部分９４上のアイレット１０８及び第二甲左側部分９６上のアイレット１１２を通じて延在する紐はない。第二甲８４のアイレットを通じる紐の不存在は、特異な外観をもたらす。
【００２３】
本発明の靴は、靴の具体的な実施態様を参照することによって上述されたが、以下の請求項によって提供される意図される保護範囲から逸脱せずに、修正及び変更が既述の靴に対して行われ得ることが理解されるべきである。
【図１】
2010504838.tif 000003
【図２】
2010504838.tif 000004
【図３】
2010504838.tif 000005
【図４】
2010504838.tif 000006
【図５】
2010504838.tif 000007
【図６】
2010504838.tif 000008
【国際調査報告】
2010504838.tif 000009